【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
コーディング方法において、
（ａ）構成符号化器（ｃｏｎｓｔｉｔｕｅｎｔ  ｅｎｃｏｄｅｒ）を利用して情報ビットＡ及びＢを符号化し、パリティシーケンスＹ１及びＷ１を出力する過程と、
（ｂ）情報ビットＣ及びＤを得るためにＣＴＣ（Ｃｏｎｖｏｌｕｔｉｏｎａｌ  Ｔｕｒｂｏ  Ｃｏｄｉｎｇ）インターリーバを利用して前記情報ビットＡ及びＢをインターリーブし、パリティシーケンスＹ２及びＷ２を得るために前記構成符号化器を利用してインターリーブした情報ビットＣ及びＤを符号化する過程と、
（ｃ）前記情報ビットＡ及びＢ、前記パリティシーケンスＹ１及びＷ１、前記パリティシーケンスＹ２及びＷ２をそれぞれインターリーブする過程と、
（ｄ）インターリーブされた情報サブブロックＡ、インターリーブされた情報サブブロックＢ、インターリーブされたＹ１及びＹ２サブブロックシーケンスのビット単位（ｂｉｔ  ｂｙ  ｂｉｔ）で多重化（ｍｕｌｔｉｐｌｅｘｅｄ）されたシーケンス、インターリーブされたＷ２及びＷ１サブブロックシーケンスのビット単位で多重化されたシーケンスを出力する過程と、を含み、
前記インターリーブされたＹ１及びＹ２サブブロックシーケンスのビット単位で多重化されたシーケンスは、Ｙ１サブブロックインターリーバからの第１出力ビット、Ｙ２サブブロックインターリーバからの第１出力ビット、Ｙ１サブブロックインターリーバからの第２出力ビット、Ｙ２サブブロックインターリーバからの第２出力ビットを順番に応じて含み、
前記インターリーブされたＷ２及びＷ１サブブロックシーケンスのビット単位で多重化されたシーケンスは、Ｗ２サブブロックインターリーバからの第１出力ビット、Ｗ１サブブロックインターリーバからの第１出力ビット、Ｗ２サブブロックインターリーバからの第２出力ビット、Ｗ１サブブロックインターリーバからの第２出力ビットを順番に応じて含む方法。
【請求項２】
インターリーブされたＹ２サブブロックシーケンスのビットが高い信頼度を有する信号点配置図ポイント（ｃｏｎｓｔｅｌｌａｔｉｏｎ  ｐｏｉｎｔｓ）のビットにマッピングされると、インターリーブされたＷ２サブブロックシーケンスの該当ビットは低い信頼度を有する信号点配置図ポイントのビットにマッピングされ、
インターリーブされたＹ２サブブロックシーケンスのビットが低い信頼度を有する信号点配置図ポイントのビットにマッピングされると、インターリーブされたＷ２サブブロックシーケンスの該当ビットは高い信頼度を有する信号点配置図ポイントのビットにマッピングされ、
インターリーブされたＹ１サブブロックシーケンスのビットが高い信頼度を有する信号点配置図ポイントのビットにマッピングされると、インターリーブされたＷ１サブブロックシーケンスの該当ビットは低い信頼度を有する信号点配置図ポイントのビットにマッピングされ、
インターリーブされたＹ１サブブロックシーケンスのビットが低い信頼度を有する信号点配置図ポイントのビットにマッピングされると、インターリーブされたＷ１サブブロックシーケンスの該当ビットは高い信頼度を有する信号点配置図ポイントのビットにマッピングされる請求項１に記載の方法。
【請求項３】
装置において、
情報ビットＡ及びＢを符号化し、パリティシーケンスＹ１及びＷ１を出力する構成符号化器（ｃｏｎｓｔｉｔｕｅｎｔ  ｅｎｃｏｄｅｒ）と、
新たな情報ビットＣ及びＤを得るために前記情報ビットＡ及びＢをインターリーブし、パリティシーケンスＹ２及びＷ２を得るためにインターリーブされた情報ビットＣ及びＤを前記構成符号化器に符号化するために提供するＣＴＣ（Ｃｏｎｖｏｌｕｔｉｏｎａｌ  Ｔｕｒｂｏ  Ｃｏｄｉｎｇ）インターリーバと、
前記情報ビットＡ及びＢ、前記パリティシーケンスＹ１及びＷ１、前記パリティシーケンスＹ２及びＷ２をそれぞれインターリーブし、インターリーブされた情報サブブロックＡ、インターリーブされた情報サブブロックＢ、インターリーブされたＹ１及びＹ２サブブロックシーケンスのビット単位（ｂｉｔ  ｂｙ  ｂｉｔ）で多重化（ｍｕｌｔｉｐｌｅｘｅｄ）されたシーケンス、インターリーブされたＷ２及びＷ１サブブロックシーケンスのビット単位で多重化されたシーケンスを出力するインターリーバと、を含み、
前記インターリーブされたＹ１及びＹ２サブブロックシーケンスのビット単位で多重化されたシーケンスは、Ｙ１サブブロックインターリーバからの第１出力ビット、Ｙ２サブブロックインターリーバからの第１出力ビット、Ｙ１サブブロックインターリーバからの第２出力ビット、Ｙ２サブブロックインターリーバからの第２出力ビットを順番に応じて含み、
前記インターリーブされたＷ２及びＷ１サブブロックシーケンスのビット単位で多重化されたシーケンスは、Ｗ２サブブロックインターリーバからの第１出力ビット、Ｗ１サブブロックインターリーバからの第１出力ビット、Ｗ２サブブロックインターリーバからの第２出力ビット、Ｗ１サブブロックインターリーバからの第２出力ビットを順番に応じて含む装置。
【請求項４】
インターリーブされたＹ２サブブロックシーケンスのビットが高い信頼度を有する信号点配置図ポイント（ｃｏｎｓｔｅｌｌａｔｉｏｎ  ｐｏｉｎｔｓ）のビットにマッピングされると、インターリーブされたＷ２サブブロックシーケンスの該当ビットは低い信頼度を有する信号点配置図ポイントのビットにマッピングされ、
インターリーブされたＹ２サブブロックシーケンスのビットが低い信頼度を有する信号点配置図ポイントのビットにマッピングされると、インターリーブされたＷ２サブブロックシーケンスの該当ビットは高い信頼度を有する信号点配置図ポイントのビットにマッピングされ、
インターリーブされたＹ１サブブロックシーケンスのビットが高い信頼度を有する信号点配置図ポイントのビットにマッピングされると、インターリーブされたＷ１サブブロックシーケンスの該当ビットは低い信頼度を有する信号点配置図ポイントのビットにマッピングされ、
インターリーブされたＹ１サブブロックシーケンスのビットが低い信頼度を有する信号点配置図ポイントのビットにマッピングされると、インターリーブされたＷ１サブブロックシーケンスの該当ビットは高い信頼度を有する信号点配置図ポイントのビットにマッピングされる請求項３に記載の装置。
【請求項５】
ターボ符号化器のための装置において、
情報サブブロックＡ、情報サブブロックＢ、Ｙ１サブブロックのパリティシーケンス、Ｙ２サブブロックのパリティシーケンス、Ｗ２サブブロックのパリティシーケンス、Ｗ１サブブロックのパリティシーケンスを受信し、
インターリーブされた情報サブブロックＡ、インターリーブされた情報サブブロックＢ、インターリーブされたＹ１及びＹ２サブブロックシーケンスのビット単位（ｂｉｔ  ｂｙ  ｂｉｔ）で多重化（ｍｕｌｔｉｐｌｅｘｅｄ）されたシーケンス、インターリーブされたＷ２及びＷ１サブブロックシーケンスのビット単位で多重化されたシーケンスを出力する少なくとも一つのサブブロックインターリーバを含み、
前記インターリーブされたＹ１及びＹ２サブブロックシーケンスのビット単位で多重化されたシーケンスは、Ｙ１サブブロックインターリーバからの第１出力ビット、Ｙ２サブブロックインターリーバからの第１出力ビット、Ｙ１サブブロックインターリーバからの第２出力ビット、Ｙ２サブブロックインターリーバからの第２出力ビットを順番に応じて含み、
前記インターリーブされたＷ２及びＷ１サブブロックシーケンスのビット単位で多重化されたシーケンスは、Ｗ２サブブロックインターリーバからの第１出力ビット、Ｗ１サブブロックインターリーバからの第１出力ビット、Ｗ２サブブロックインターリーバからの第２出力ビット、Ｗ１サブブロックインターリーバからの第２出力ビットを順番に応じて含む装置。
【請求項６】
インターリーブされたＹ２サブブロックシーケンスのビットが高い信頼度を有する信号点配置図ポイント（ｃｏｎｓｔｅｌｌａｔｉｏｎ  ｐｏｉｎｔｓ）のビットにマッピングされると、インターリーブされたＷ２サブブロックシーケンスの該当ビットは低い信頼度を有する信号点配置図ポイントのビットにマッピングされ、
インターリーブされたＹ２サブブロックシーケンスのビットが低い信頼度を有する信号点配置図ポイントのビットにマッピングされると、インターリーブされたＷ２サブブロックシーケンスの該当ビットは高い信頼度を有する信号点配置図ポイントのビットにマッピングされ、
インターリーブされたＹ１サブブロックシーケンスのビットが高い信頼度を有する信号点配置図ポイントのビットにマッピングされると、インターリーブされたＷ１サブブロックシーケンスの該当ビットは低い信頼度を有する信号点配置図ポイントのビットにマッピングされ、
インターリーブされたＹ１サブブロックシーケンスのビットが低い信頼度を有する信号点配置図ポイントのビットにマッピングされると、インターリーブされたＷ１サブブロックシーケンスの該当ビットは高い信頼度を有する信号点配置図ポイントのビットにマッピングされる請求項５に記載の装置。
【請求項７】
ターボ符号化器のための方法において、 
少なくとも一つのサブブロックインターリーバが、情報サブブロックＡ、情報サブブロックＢ、Ｙ１サブブロックのパリティシーケンス、Ｙ２サブブロックのパリティシーケンス、Ｗ２サブブロックのパリティシーケンス、Ｗ１サブブロックのパリティシーケンスを受信する過程と、
前記少なくとも一つのサブブロックインターリーバがインターリーブされた情報サブブロックＡ、インターリーブされた情報サブブロックＢ、インターリーブされたＹ１及びＹ２サブブロックシーケンスのビット単位（ｂｉｔ  ｂｙ  ｂｉｔ）で多重化（ｍｕｌｔｉｐｌｅｘｅｄ）されたシーケンス、インターリーブされたＷ２及びＷ１サブブロックシーケンスのビット単位で多重化されたシーケンスを出力する過程と、を含み、
前記インターリーブされたＹ１及びＹ２サブブロックシーケンスのビット単位で多重化されたシーケンスは、Ｙ１サブブロックインターリーバからの第１出力ビット、Ｙ２サブブロックインターリーバからの第１出力ビット、Ｙ１サブブロックインターリーバからの第２出力ビット、Ｙ２サブブロックインターリーバからの第２出力ビットを順番に応じて含み、
前記インターリーブされたＷ２及びＷ１サブブロックシーケンスのビット単位で多重化されたシーケンスは、Ｗ２サブブロックインターリーバからの第１出力ビット、Ｗ１サブブロックインターリーバからの第１出力ビット、Ｗ２サブブロックインターリーバからの第２出力ビット、Ｗ１サブブロックインターリーバからの第２出力ビットを順番に応じて含む方法。
【請求項８】
インターリーブされたＹ２サブブロックシーケンスのビットが高い信頼度を有する信号点配置図ポイント（ｃｏｎｓｔｅｌｌａｔｉｏｎ  ｐｏｉｎｔｓ）のビットにマッピングされると、インターリーブされたＷ２サブブロックシーケンスの該当ビットは低い信頼度を有する信号点配置図ポイントのビットにマッピングされ、
インターリーブされたＹ２サブブロックシーケンスのビットが低い信頼度を有する信号点配置図ポイントのビットにマッピングされると、インターリーブされたＷ２サブブロックシーケンスの該当ビットは高い信頼度を有する信号点配置図ポイントのビットにマッピングされ、
インターリーブされたＹ１サブブロックシーケンスのビットが高い信頼度を有する信号点配置図ポイントのビットにマッピングされると、インターリーブされたＷ１サブブロックシーケンスの該当ビットは低い信頼度を有する信号点配置図ポイントのビットにマッピングされ、
インターリーブされたＹ１サブブロックシーケンスのビットが低い信頼度を有する信号点配置図ポイントのビットにマッピングされると、インターリーブされたＷ１サブブロックシーケンスの該当ビットは高い信頼度を有する信号点配置図ポイントのビットにマッピングされる請求項７に記載の方法。
【請求項９】
パリティシーケンスがビット単位で多重化されると、前記インターリーブされた情報サブブロックＡ及びＢはバイパスされる請求項７に記載の方法。
【請求項１０】
パリティシーケンスがビット単位で多重化されると、インターリーブされた情報サブブロックＡ及びＢはバイパスされる請求項１に記載の方法。
【請求項１１】
パリティシーケンスがビット単位で多重化されると、インターリーブされた情報サブブロックＡ及びＢはバイパスされる請求項３に記載の装置。
【請求項１２】
パリティシーケンスがビット単位で多重化されると、前記インターリーブされた情報サブブロックＡ及びＢはバイパスされる請求項５に記載の装置。